(57)【特許請求の範囲】
【請求項１】
可変容量コンデンサを内蔵し、ＮＭＲの測定核を選択すると自動的に可変容量コンデンサの容量が制御されて、プローブのチューニング周波数が選択された測定核に応じて設定されるオートチューニングプローブを備えたＮＭＲ装置において、
チューニング周波数と可変容量コンデンサの制御量との関係を記憶したメモリをプローブ側に設けたことを特徴とするオートチューニングプローブ。
【請求項２】
前記可変容量コンデンサの制御量は、ＮＭＲの測定核ごとに記憶されるようにしたことを特徴とする請求項１記載のオートチューニングプローブ。
【発明の詳細な説明】
【０００１】
【発明の属する技術分野】
本発明は、ＮＭＲ装置で用いられるオートチューニングプローブに関する。
【０００２】
【従来の技術】
ＮＭＲ装置は、静磁場中に置かれた被測定試料に高周波を照射し、その後、被測定試料から出る微小な高周波信号（ＮＭＲ信号）を検出し、そのなかに含まれている分子構造情報を抽出し、被測定試料の分子構造を解析する装置である。
【０００３】
ＮＭＲ法では、核スピンを有するさまざまな核種が測定の対象となるため、被測定試料に照射する高周波の周波数も実にさまざまである。従って、測定条件設定の手間を省くために、高周波の周波数を測定対象の核種に応じて自動的に設定すると共に、プローブの同調周波数を自動的に調節できるオートチューニングプローブが実用化されている。
【０００４】
図１は、オートチューニングプローブを備えたＮＭＲ装置の従来例の構成図である。オートチューニングプローブの駆動部１は、オートチューニングプローブ５のチューニングダイヤル６を駆動する駆動回路２を備えている。駆動回路２とチューニングダイヤル６は、フレキシブルシャフト４で接続されている。駆動回路２は、コンピュータ３によって制御されている。コンピュータ３からの指示によって、駆動回路２がチューニングダイヤル６を駆動することにより、可変容量コンデンサ７の容量が変化し、同調が取られる構造になっている。
【０００５】
このとき、チューニング周波数とチューニングダイヤル６のダイヤル値との関係は、ホストコンピュータ８のファイルに収められているので、任意のチューニング周波数を実現するためには、ホストコンピュータ８からコンピュータ３へのダイヤル値の設定が欠かせないステップとなっている。
【０００６】
【発明が解決しようとする課題】
ところで、チューニング用の可変容量コンデンサやコイル特性は、オートチューニングプローブの種類毎に異なるため、同調時のチューニングダイヤルのダイヤル値もプローブ毎に異なっている。また、同じ種類のプローブでも、可変容量コンデンサやコイル特性にばらつきがあるため、同調時のチューニングダイヤルのダイヤル値は同じにはならない。そして、そのダイヤル値は、すべてホストコンピュータ側のファイルに収められることになっているため、プローブ毎に対応した個別ファイルをホストコンピュータの内部に用意する必要があった。
【０００７】
従って、もし、プローブを交換すると、その都度、対応するファイルを変更する必要があり、また、新たにプローブを追加する場合は、対応するファイルをホストコンピュータに追加しなければならない。また、異なる種類のオートチューニングプローブがある場合は、プローブ毎にファイルを作り、それらのファイルをプローブに対応させて管理しなければならない。
【０００８】
その結果、ホストコンピュータ側では、プローブ毎にファイルを管理することにより、システム構築に当たって負担が増えると共に、プローブ交換時、あるいはプローブ追加時のサービス性も悪いという問題があった。また、複数の種類のプローブがある場合、プローブに対応するファイルの指定を間違えると、誤動作を招くという問題があった。
【０００９】
本発明の目的は、上述した点に鑑み、システム構築に当たって負担が軽く、プローブ交換時やプローブ追加時のサービス性も良く、複数の種類のプローブがあっても誤動作を招く心配のないオートチューニングプローブを提供することにある。
【００１０】
【課題を解決するための手段】
この目的を達成するため、本発明のオートチューニングプローブは、可変容量コンデンサを内蔵し、ＮＭＲの測定核を選択すると自動的に可変容量コンデンサの容量が制御されて、プローブのチューニング周波数が選択された測定核に応じて設定されるオートチューニングプローブを備えたＮＭＲ装置において、
チューニング周波数と可変容量コンデンサの制御量との関係を記憶したメモリをプローブ側に設けたことを特徴としている。
【００１１】
前記可変容量コンデンサの制御量は、ＮＭＲの測定核ごとに記憶されるようにしたことを特徴としている。
【００１２】
【発明の実施の形態】
以下、図面を参照して、本発明の実施の形態を説明する。図２は、本発明のオートチューニングプローブの構成の一例を示したものである。オートチューニングプローブ５に搭載されたＲＯＭ９には、オートチューニングプローブ５のチューニング周波数を目的の値に設定するにはチューニングダイヤル６のダイヤル値をいくらにすればよいか、というチューニング周波数とダイヤル値の対応関係が書き込まれている。そして、そのダイヤル値をチューニングダイヤル６に設定すると、オートチューニングプローブ５のチューニング周波数は、そのまま目的の値になるようになっている。
【００１３】
ホストコンピュータ８は、オートチューニングプローブ５のチューニングを取るために、オートチューニングプローブ５のチューニング周波数をコンピュータ３に設定する。
【００１４】
すると、コンピュータ３は、オートチューニングプローブ５のＲＯＭ９に記憶されている、前記チューニング周波数に対応したチューニングダイヤル６のダイヤル値を読み取り、その値をチューニングダイヤル６に設定するために、駆動回路２でフレキシブルシャフト４を介してチューニングダイヤル６を駆動させる。チューニングダイヤル６に所定のダイヤル値が設定されると、可変容量コンデンサ７の容量は最適値になり、その結果、プローブのチューニングを取ることができる。
【００１５】
この例では、オートチューニングプローブ５に搭載されたＲＯＭ９のデータは、コンピュータ３によって読み出されるようになっている。しかし、ホストコンピュータ８がコンピュータ３を経由して、直接ＲＯＭ９のデータを読み取り、目的のチューニング周波数に対応したチューニングダイヤル６のダイヤル値を、コンピュータ３に直接設定するという方法も可能である。その場合、前の例とは違って、ホストコンピュータ８からは、チューニングダイヤル６のダイヤル値そのものがコンピュータ３に設定されることになる。
【００１６】
また、別の例としては、ＲＯＭのデータとして、ＮＭＲの測定核ごとにダイヤル値を書き込んでおき、ホストコンピュータ８は、測定核の種類のみをコンピュータ３に設定するという方法も可能である。その場合は、コンピュータ３は、測定核に対応したダイヤル値をＲＯＭ９から読み取って、プローブのチューニングを行なうことになる。
【００１７】
尚、本実施例では、ダイヤル制御の可変容量コンデンサを用いたが、ダイヤル制御の可変容量コンデンサの代わりに電圧制御の可変容量コンデンサを用いても良く、その場合には、ＮＭＲの測定核ごとに固有の電圧値を可変容量コンデンサに印加するようにする。一般的には、容量を外部から任意にコントロールできる可変容量コンデンサであれば、どのようなものを用いても良い。
【００１８】
【発明の効果】
以上述べたごとく、本発明のオートチューニングプローブを用いれば、プローブ側のＲＯＭにチューニングダイヤルのダイヤル値を記憶させているので、ホストコンピュータ側でプローブ毎に対応したダイヤル値の個別ファイルを用意する必要がなくなる。その結果、オートチューニングプローブの交換や追加の際に面倒なファイルの管理が不要になり、サービス性が図れるようになる。また、間違ったファイルの指定による誤動作がなくなるので、信頼性が高くなる。また、ホストコンピュータのシステム構築の負担の軽減になる。
【図面の簡単な説明】
【図１】従来の実施例を示す図である。
【図２】本発明の一実施例を示す図である。
【符号の説明】
１・・・オートチューニングプローブの駆動部、２・・・駆動回路、３・・・コンピュータ、４・・・フレキシブルシャフト、５・・・オートチューニングプローブ、６・・・チューニングダイヤル、７・・・可変容量コンデンサ、８・・・ホストコンピュータ、９・・・ＲＯＭ。
【図１】
0003597035.tif 000002
【図２】
0003597035.tif 000003